(57)【要約】【課題】電源オンオフの誤動作を低減することで信頼性の高い電源制御システムを持つ電子眼鏡を提供することを目的とする。【解決手段】レンズとフレームと電源を備えた電子眼鏡において、前記フレームの全てのテンプルの人体に接触する部分に複数の電極を設け、前記複数の電極は作用極と対極に分かれており、前記作用極と前記対極間に電圧を印加することにより発生する前記作用極と前記対極との間の電極間抵抗値を利用して前記電源のオンオフの切り替えを行う抵抗検知制御回路を有する。【選択図】図１
2009080241.tif 000002
【特許請求の範囲】
【請求項１】
レンズとフレームと電源を備えた電子眼鏡において、
前記フレームの全てのテンプルの人体に接触する部分に複数の電極を設けた電子眼鏡。
【請求項２】
前記複数の電極は作用極と対極に分かれており、前記作用極と前記対極間に電圧を印加することにより発生する前記作用極と前記対極との間の電極間抵抗値を利用して前記電源のオンオフの切り替えを行う抵抗検知制御回路を有する請求項１に記載の電子眼鏡。
【請求項３】
前記抵抗検知制御回路は、すべてのテンプルの前記電極間抵抗値のうちいずれかひとつの電極間抵抗値が、所定の時間以上で所定の抵抗値よりも小さい時に前記電源をオンする請求項２に記載の電子眼鏡。
【請求項４】
前記抵抗検知制御回路は、すべてのテンプルの前記電極間抵抗値が、所定の時間以上で所定の抵抗値よりも大きい時に前記電源をオフする請求項２に記載の電子眼鏡。
【発明の詳細な説明】
【技術分野】
【０００１】
本発明は、電子眼鏡に使用される電源スイッチの制御に関するものである。
【背景技術】
【０００２】
電気的に焦点距離を可変させる電子眼鏡として、レンズの中に液晶などの誘電体材料を封入し、これに電圧をかけて誘電率を変化させることで屈折率を制御する方式が提案されている（例えば、特許文献１参照）。
【０００３】
電子眼鏡として提案されている構成の概略図を図４に示す。図４に示すように、電子眼鏡には鼻パッド２が蝶足５０に保持されており、鼻パッド２と蝶足５０は上下移動可能な状態に構成されている。蝶足５０の端部には、電源スイッチ５１が備えられており、内部に固定電極と可動電極が設けられている。可動電極は、蝶足５０の端部に固定されており、電子眼鏡を装着することにより、鼻パッド２と蝶足５０が鼻に押されて、上方向（図示のＡ方向）に移動し、電源スイッチ５１内部において、固定電極と可動電極が接触することにより、スイッチがオンの状態になる。
【０００４】
電子眼鏡を取り外すと、鼻パッド２が鼻から離れることにより、鼻パッド２と蝶足５０が下方に移動し、電源スイッチ５１内部の固定電極と可動電極が離れることによりスイッチがオフの状態になる（例えば、特許文献２参照）。
【特許文献１】特開平１１−３５２４４５号公報
【特許文献２】特開２００２−２９７０８８号公報
【発明の開示】
【発明が解決しようとする課題】
【０００５】
しかしながら、前記従来の技術では、頭の動きや運動などによって、電子眼鏡が動いたりずれたりすることにより、鼻パッドと鼻との接触状態が不安定となり、電源スイッチの固定電極と可動電極の接触状態が不安定となり、電源オンオフが誤動作を起こすという課題を有していた。また眼鏡をかける人の癖として、ずれてきた眼鏡フレームを指で押し上げたときにも、鼻バッドと鼻との接触部が離れて、眼鏡を装着している状態でも、電源オンオフの誤動作を起こすという課題を有していた。また、スイッチ電極部の汚れやごみ等の付着、眼鏡のずれ等によっても電源オンオフの誤動作を起こすという課題を有していた。
【０００６】
本発明は、前記従来の課題を解決するもので、電源オンオフの誤動作を低減することで信頼性の高い電源制御システムを持つ電子眼鏡を提供することを目的とする。
【課題を解決するための手段】
【０００７】
前記従来の課題を解決するために、本発明の電子眼鏡は、レンズとフレームと電源を備えた電子眼鏡において、前記フレームの全てのテンプルの人体に接触する部分に複数の電極を設けたことを特徴としたものである。
【０００８】
さらに、本発明の電子眼鏡は、前記複数の電極は作用極と対極に分かれており、前記作用極と前記対極間に電圧を印加することにより発生する前記作用極と前記対極との間の電極間抵抗値を利用して前記電源のオンオフの切り替えを行う抵抗検知制御回路を有することを特徴としたものである。
【発明の効果】
【０００９】
本発明の電子眼鏡によれば、電源オンオフの切り替え制御の誤動作を大幅に低減し、信頼性の高い電源スイッチ装置を、簡単な構成で安価に提供することができる。
【発明を実施するための最良の形態】
【００１０】
以下に、本発明の電子眼鏡の実施の形態を図面とともに詳細に説明する。
【００１１】
（実施の形態１）
本発明の実施の形態１について、図１、図２、図３を用いて説明する。
【００１２】
図１は、本発明の実施の形態１における電子眼鏡の概略図である。可変焦点レンズ１はリム３により保持されている。電子眼鏡装着時に鼻に密着して電子眼鏡を保持する部分には、鼻パッド２が設けられている。テンプル４Ａとテンプル４Ｂは、電子眼鏡装着時に顔側面および耳部に、電子眼鏡が安定して保持されるように構成されている。それぞれのテンプル４Ａと４Ｂの顔側面あるいは耳部に接触する部分には、作用極と対極とを持つ１組の電極が設けられている。すなわち、テンプル４Ａには対極８Ａと作用極８Ｂとが、テンプル４Ｂには対極９Ａと作用極９Ｂとが設けられている。これらのそれぞれの組の電極には、抵抗検知制御回路５が電気的に接続されている。図示はしていないが、可変焦点レンズ１を駆動するための電源を備えている。さらに電極と抵抗検知制御回路５を駆動するための第２の電源を備えている。
【００１３】
図２は、本発明の実施の形態１における電子眼鏡の詳細図である。両側のテンプル４Ａおよび４Ｂに設けられた一組の電極は同じ構成であるため、テンプル４Ａにある対極８Ａと作用極８Ｂに関して図２を用いて、以下詳細を説明する。
【００１４】
電子眼鏡を装着時に顔側面あるいは耳部に接触するようにテンプル４Ａに設けられた対極８Ａと作用極８Ｂは、電極用配線１０により、抵抗検知制御回路５に電気的に接続されている。抵抗検知制御回路５は、対極８Ａと作用極８Ｂの電極間抵抗値を検知して抵抗値に応じて、電源オンオフの切り替え制御を行う。さらに抵抗検知制御回路５は、可変焦点レンズ制御用配線Ａ１１により可変焦点レンズ１を駆動する電源（図示されていない）に電気的に接続されている。対極８Ａと作用極８Ｂ、電極用配線１０および可変焦点レンズ制御用配線Ａ１１は、テンプル４Ａと電気的に絶縁されて設けられている。
【００１５】
テンプル４Ａおよび４Ｂの材料としては、電気絶縁性があり、加工性、着色性、弾力性、耐久性に優れるセルロイド、アセテート、セルロースプロピオネート、ポリアミド樹脂が好適であるが、特にこれに限定されるものではなく、その他の樹脂材料を用いることも可能である。テンプル４Ａおよび４Ｂに電気導電性のある金属材料を用いることも可能であるが、その場合には、対極８Ａと作用極８Ｂ、電極用配線１０および可変焦点レンズ制御用配線Ａ１１と電気絶縁を保つために、絶縁材料を用いてテンプル４Ａおよび４Ｂとの電気絶縁を保つ必要がある。
【００１６】
図３は、本発明の実施の形態１における抵抗検知制御回路５の動作の説明図である。抵抗検知をするために作用極と対極との間に電圧を印加して得られる電極間抵抗値の時間変化を示している。
【００１７】
本発明の電子眼鏡の装着状態の判断は以下のようにして行う。電子眼鏡が装着された状態は、対極８Ａと作用極８Ｂと対極９Ａと作用極９Ｂのうちいずれか片側の電極間抵抗値が、電源オンオフ判定時間以上の間、電源オンオフ判定抵抗値以下になったときとする。電子眼鏡が取り外された状態は、対極８Ａと作用極８Ｂと対極９Ａと作用極９Ｂの両側の電極間抵抗値が同時に、電源オンオフ判定時間以上の間、電源オンオフ判定抵抗値以上になったときとする。以下、電源オンオフの切り替え制御について、図３を用いて詳細に説明する。
【００１８】
図３のＴｏからＴａ間は、電子眼鏡を装着していない状態を示している。電子眼鏡を装着していない状態では、対極８Ａと作用極８Ｂと対極９Ａと作用極９Ｂのそれぞれの電極間抵抗値は、両方ともに電気的に絶縁された状態になっているために、電源オンオフ判定抵抗値よりも大きな値となっている。
【００１９】
図３のＴａは、電子眼鏡を装着した時刻である。電子眼鏡を装着すると、対極８Ａと作用極８Ｂと対極９Ａと作用極９Ｂは、それぞれ顔側面あるいは耳部に接触するために電極間抵抗値が電源オンオフ判定抵抗値よりも低下する。抵抗検知制御回路５は、対極８Ａと作用極８Ｂの電極間抵抗値が電源オンオフ判定抵抗値よりも小さくなったＴｂから電源オンオフ判定時間経過したＴｃの時点で、電源をオンにする。
【００２０】
図３のＴｆは、電子眼鏡を取り外した時刻である。電子眼鏡を取り外すと、対極８Ａと作用極８Ｂと対極９Ａと作用極９Ｂは、両方ともに顔側面あるいは耳部から離れるために、２組の電極間抵抗値がともに電源オンオフ判定抵抗値よりも大きくなる。抵抗検知制御回路５は、対極８Ａと作用極８Ｂと対極９Ａと作用極９Ｂの両方の電極間抵抗値が同時に、電源オンオフ判定時間以上の間、電源オンオフ抵抗値よりも大きくなったときに、電子眼鏡を取り外したと判断する。従って、両方の電極間抵抗値が電源オンオフ判定抵抗値よりも大きくなったＴｇから電源オンオフ判定時間経過したＴｈにおいて、電源をオフにする。
【００２１】
なお、本実施の形態ではテンプルごとに設けた抵抗検知制御回路で電源の制御する場合を説明したが、どちらかひとつの抵抗検知制御回路で電源の制御を行ってもよい。
【００２２】
図３のＴｄからＴｅ間は、電子眼鏡を装着した状態で運動したり、たとえば階段の上り下りのような頭部の動きにより、電子眼鏡が不安定に動いているときの電極間抵抗の状態を示している。電子眼鏡が不安定に動くと、ＴｄとＴｅ間に示すように、対極８Ａと作用極８Ｂと対極９Ａと作用極９Ｂと、顔側面および耳部との接触状態が不安定となり、電極間抵抗値が図３に示すように不安定な状態となり、電源オンオフ判定時間を越えて電源オンオフ判定抵抗値を超えた変動が生じる場合がある。このような場合でも抵抗検知回路により電源をオフにすることはない。２組の電極間抵抗値が同時に、電源オンオフ判定時間以上、電源オンオフ判定抵抗値を超える場合に電源オフの切り替え制御の判断を行うことにより、このような場合でも、電子眼鏡を装着している状態と判断して、電源オンの状態を保持することができる。
【００２３】
図３のＴｅからＴｆ間は、電子眼鏡を装着している状態で、対極９Ａと作用極９Ｂにごみや汚れが付着した場合や、片方のテンプル４Ｂがずれて対極９Ａと作用極９Ｂが、顔側面や耳部と接触しない状態になり、対極９Ａと作用極９Ｂの電極間抵抗値が電源オンオフ判定抵抗値よりも大きくなった状態を示している。このような状態でも、２組の電極間抵抗値が同時に、電源オンオフ判定時間以上、電源オンオフ判定抵抗値を超える場合に電源オフの切り替え制御の判断を行うことにより、電子眼鏡を装着している状態と判断して、電源オンの状態を保持することができる。
【００２４】
以上のように、実施の形態１においては、対極８Ａと作用極８Ｂと対極９Ａと作用極９Ｂの２組の電極間抵抗値の状態に応じて電源オンオフの切り替え制御を行うことにより、たとえば電子眼鏡装着時の運動や頭の動きによる電子眼鏡の動きやずれ、あるいは電極部のごみや汚れ、あるいは電子眼鏡の装着状態のずれになどによる電源オンオフの切り替え制御の誤動作を大幅に防止することができる電子眼鏡を実現することができる。
【産業上の利用可能性】
【００２５】
本発明にかかる電子眼鏡は、顔側面および耳部に接触する部分に電極を設けて電源スイッチとして用いるために、電子眼鏡の装着者が電源スイッチを意識することなく自動的に電源がオンオフすることが可能で、操作上便利で快適であるとともに電源の切り忘れを防止することができるという効果があり、電子遠近両用眼鏡等に有用である。
【図面の簡単な説明】
【００２６】
【図１】本発明の実施の形態１における電子眼鏡の概略図
【図２】本発明の実施の形態１における電子眼鏡の詳細図
【図３】本発明の実施の形態１における電源オンオフの切り替え制御の説明図
【図４】従来の電子眼鏡の概略図
【符号の説明】
【００２７】
１  可変焦点レンズ
２  鼻パッド
３  リム
４Ａ  テンプル
４Ｂ  テンプル
５  抵抗検知制御回路
８Ａ  対極
８Ｂ  作用極
９Ａ  対極
９Ｂ  作用極
１０  電極用配線
１１  可変焦点レンズ制御用配線Ａ
５０  蝶足
５１  電源スイッチ
【図１】
2009080241.tif 000003
【図２】
2009080241.tif 000004
【図３】
2009080241.tif 000005
【図４】
2009080241.tif 000006